(57)【特許請求の範囲】
【請求項１】
バックライトを備える表示部に映像を表示する表示装置において、
上記バックライトの照射を制御して、照射期間と当該照射期間と同一の長さである非照射期間との繰り返しである明滅を発生させるバックライト制御手段を備え、
上記バックライト制御手段は、上記映像を示す映像信号の明るさが明るくなるほど、上記明滅の周波数である明滅周波数が高くなるように制御することを特徴とする表示装置。
【請求項２】
上記映像信号の明るさに応じた目標明滅周波数を特定する周波数特定手段をさらに備え、
上記バックライト制御手段は、上記周波数特定手段が特定した目標明滅周波数に基づいて、上記明滅周波数を制御することを特徴とする請求項１に記載の表示装置。
【請求項３】
上記バックライト制御手段は、上記明滅周波数が上記目標明滅周波数と異なる場合、上記目標明滅周波数と一致するように、上記明滅周波数を徐々に増減させることを特徴とする請求項２に記載の表示装置。
【請求項４】
上記バックライト制御手段は、上記明滅周波数を増加させる増加幅より、当該明滅周波数を減少させる減少幅を小さくすることを特徴とする請求項３に記載の表示装置。
【請求項５】
上記バックライト制御手段は、上記明滅周波数を一旦増加させてから次に増加させるまでの期間である増加間隔よりも、上記バックライトが照射する光の明滅周波数を一旦減少させてから次に減少させるまでの期間である減少間隔を長く設定することを特徴とする請求項３に記載の表示装置。
【請求項６】
上記バックライトは複数の領域に分割されており、
上記バックライト制御手段は、上記表示部の映像が表示されている領域に対応する上記バックライトの領域に対してのみ、上記明滅を発生させることを特徴とする請求項１〜５の何れか１項に記載の表示装置。
【請求項７】
上記バックライト制御手段は、上記映像信号の明るさが明るくなるほど、上記明滅周波数が高くなるように制御するとともに、上記映像に含まれる文字領域の割合が高くなるほど、上記明滅周波数が高くなるように制御することを特徴とする請求項１に記載の表示装置。
【請求項８】
バックライトを備える表示部に映像を表示する表示装置の制御方法において、
上記バックライトの照射を制御して、照射期間と当該照射期間と同一の長さである非照射期間との繰り返しである明滅を発生させるバックライト制御ステップを含み、
上記バックライト制御ステップでは、上記映像を示す映像信号の明るさが明るくなるほど、上記明滅の周波数である明滅周波数が高くなるように制御することを特徴とする表示装置の制御方法。
【請求項９】
請求項１〜７の何れか１項に記載の表示装置を備えていることを特徴とするテレビジョン受像機。
【請求項１０】
請求項１〜７の何れか１項に記載の表示装置を動作させるための制御プログラムであって、コンピュータを上記各手段として機能させるための制御プログラム。
【請求項１１】
請求項１０に記載の制御プログラムを記録したコンピュータ読み取り可能な記録媒体。
【発明の詳細な説明】
【技術分野】
【０００１】
本発明は、映像を表示する表示装置、表示装置の制御方法、テレビジョン受像機、制御プログラム、および記録媒体に関するものである。
【背景技術】
【０００２】
テレビが高解像化し、ハイビジョン、フルハイビジョンテレビが一般的となっている状況において、古い映画は映画会社など配給側でリマスター処理が行われたＢＤ（Blu-ray Disc（登録商標））が発売され、高画質の映像で楽しめる環境が一般的である。
【０００３】
一方で、古い映画が高画質にリマスターされることで明るい鮮明な映像となってしまうため、テレビドラマを見ているような感覚になってしまい、古い映画を昔の映画館で見ているようなテイストが失われてしまう。
【０００４】
そこで、高画質の古い映画を、昔の映画館で見ているようなテイストで再生する技術が開発されている。例えば、特許文献１には、バックライトの照射を制御して明滅を発生させ、映画館で古いシャッター式の映写機を使用しているかのような演出を実現する技術が記載されている。また、特許文献２には、入力画像から高周波強調画像および低周波画像を作成し、両画像を交互に読み出して画像を表示することにより、従来の映画館で表現されていた倍速周波数（４８Ｈｚ）のフリッカ感や２重像を電子ディスプレイにおいて再現する技術が記載されている。
【先行技術文献】
【特許文献】
【０００５】
【特許文献１】特開２０１２−８５１５号公報（２０１２年１月１２日公開）
【特許文献２】特開２０１１−１７９３６号公報（２０１１年１月２７日公開）
【発明の概要】
【発明が解決しようとする課題】
【０００６】
しかしながら、特許文献１に記載の技術は、テレビにフリッカを発生させるため、観る映像によってはシャッター感以上にフリッカ感を強く感じてしまい、不快感を与える可能性を有している。また、特許文献２に記載の技術は、処理が複雑になると共に、メモリ使用量が大きくなるという問題がある。
【０００７】
本発明は、上記の問題点に鑑みてなされたものであり、その目的は、視聴者に不快感を与えることなく、より簡易な処理でフィルム映画を映写機で投影したときのシャッター感を再現する表示装置、表示装置の制御方法、テレビジョン受像機、制御プログラム、および記録媒体を実現することにある。
【課題を解決するための手段】
【０００８】
上記の課題を解決するために、本発明の一態様に係る表示装置は、バックライトを備える表示部に映像を表示する表示装置において、上記バックライトが照射する光の明滅周波数を制御するバックライト制御手段を備え、上記バックライト制御手段は、上記映像の明るさに応じて、上記バックライトが照射する光の明滅周波数を制御する。
【０００９】
また、上記の課題を解決するために、本発明の一態様に係る表示装置の制御方法は、バックライトを備える表示部に映像を表示する表示装置の制御方法において、上記バックライトが照射する光の明滅周波数を制御するバックライト制御ステップを含み、上記バックライト制御ステップでは、上記映像の明るさに応じて、上記バックライトが照射する光の明滅周波数を制御する。
【発明の効果】
【００１０】
本発明の一態様によれば、視聴者に不快感を与えることなく、より簡易な処理でフィルム映画を映写機で投影したときのシャッター感を再現することができるという効果を奏する。
【図面の簡単な説明】
【００１１】
【図１】本発明の実施形態を示すものであり、表示装置の要部構成を示すブロック図である。
【図２】ＡＰＬと目標明滅周波数との対応関係を示す周波数特定情報の一例を示す図である。
【図３】輝度７０％以上の面積の割合と目標明滅周波数との対応関係を示す周波数特定情報の一例を示す図である。
【図４】映像処理回路が映像信号から作成する輝度ヒストグラムの一例を示す図である。
【図５】表示装置が映画（クラシック）モード時に実行する第１の処理の一例を示すフローチャートである。
【図６】表示装置が映画（クラシック）モード時に実行する第２の処理の一例を示すフローチャートである。
【図７】ＡＰＬと目標明滅周波数との対応関係を示す周波数特定情報の一例を示す図である。
【図８】本発明の他の実施形態を示すものであり、表示装置の要部構成を示すブロック図である。
【図９】文字領域の割合と第二目標明滅周波数との対応関係を示す第二周波数特定情報の一例を示す図である。
【図１０】表示装置が映画（クラシック）モード時に実行する第３の処理の一例を示すフローチャートである。
【発明を実施するための形態】
【００１２】
〔本発明の概要〕
特許文献１に記載の技術を用いてシャッター感を再現した場合、表示する映像（画像）が明るいと、明滅が目立ち、過度にフリッカが発生する。また、映像全体のうち明るい部分の面積が大きいと、その部分のフリッカが激しくなり、視聴者に不快感を与える虞がある。
【００１３】
そこで、本発明に係る表示装置は、視聴者に不快感を与えることなく、フィルム映画を映写機で投影したときのシャッター感を再現するために、表示する映像の明るさに応じてバックライトの明滅処理を制御するものである。具体的には、本発明に係る表示装置は、表示する映像が明るいほど、バックライトの明滅周波数が高くなるように制御する。
【００１４】
このように、映像の明るさに応じてバックライトの明滅周波数を変えることにより、明るい映像や暗い映像であっても、視聴者に不快感を与えることなく、フィルム映画を映写機で投影したときのシャッター感を再現することができる。
【００１５】
また、映像の明るさの程度を示す指標として、映像のＡＰＬ（Average Picture Level：輝度平均値）または画面全体に対する輝度の高い領域の割合等を用いる。ここで、「画面全体に対する輝度の高い領域の割合」とは、画面（１フレーム）を複数の領域に分割して、各領域のＡＰＬを算出し、そのＡＰＬが所定値以上の領域が画面全体に占める割合を意味する。
【００１６】
また、より具体的には、表示装置は、映像の明るさに応じた目標明滅周波数を特定し、特定した目標明滅周波数と一致するように、バックライトが照射する光の明滅周波数を徐々に増減させる。ここで、目標明滅周波数とは、映像の明るさに適した明滅周波数である。
【００１７】
映像の明るさは、連続するフレームであっても細かく変動するため、単純に明るさに応じて明滅周波数を変更すると、明滅周波数の細かい変動が視聴者に不快感を与える場合がある。また、映像の明るさが急激に変化することもあり、その急激な変化に合わせて明滅周波数を変更すると、視聴者に不快感を与える。そこで、本発明では、映像の明るさに適した明滅周波数に即時に変更するのではなく、その明滅周波数に徐々に近づくように制御する。これにより、視聴者に不快感を与えることなく、映像の明るさに応じたシャッター感を再現することができる。
【００１８】
なお、以下では、バックライトに設定する明滅周波数であって、実際にバックライトに動作させる明滅周波数を設定明滅周波数と称する。
【００１９】
＜実施形態１＞
まず、本発明の実施形態１について図１から図７に基づいて説明する。
【００２０】
〔表示装置の構成〕
実施形態１に係る表示装置について図１に基づいて説明する。本実施形態に係る表示装置は、画像を表示する装置であり、例えば、デジタルテレビ、ＰＣモニター、携帯電話機、ＰＤＡ（Personal Digital Assistant）、ゲーム機、電子黒板、デジタルカメラ、ビデオカメラ等である。なお、表示装置を備えたテレビジョン受像機も本明細書に記載された発明の範疇に含まれる。
【００２１】
本実施形態に係る表示装置には、ゲームモードや通常の映画モード等の画質調整モードに加えて、画質調整モードとして映画（クラシック）モードが備わっている。映画（クラシック）モードは、往年の名作映画の映像を表示した場合に前述したような独特な精細感、ノイズやちらつき等ができるだけ再現されるような画質（所定の画質）にするための画質調整モードである。
【００２２】
図１は、表示装置１の要部構成の一例を示すブロック図である。図１に示すように、表示装置１は、映像処理回路（周波数特定手段）２、バックライト制御回路（バックライト制御手段）３、駆動回路４、表示パネル５およびバックライト６を備えている。なお、表示装置１は、外部から映像信号を取得（受信）する通信部およびアンテナ等、並びに、映像信号を保持する記憶部、並びに、映像信号を復号する復号部およびチューナ等、並びに、操作部、音声入力部および音声出力部等の部材を備えていてもよいが、発明の特徴点とは関係がないため当該部材を図示していない。
【００２３】
映像処理回路２は、取得した映像の画質を調整したり、取得した映像をスケーリングしたりするものである。ここで、画質の調整とは、例えば、輝度、シャープネスおよびコントラストの少なくとも何れかを変化させることを指す。また、スケーリングとは、表示すべき映像本来のアスペクト比を保ったままサイズを縮小することを指す。映像処理回路２は、画質調整およびスケーリングを施した映像信号を駆動回路４に出力する。
【００２４】
また、映像処理回路２は、映画（クラシック）モード時に、取得した映像の明るさを算出し、映像の明るさと目標明滅周波数との対応関係を示す周波数特定情報を参照して、算出した明るさに対応する目標明滅周波数を特定するものである。
【００２５】
ここで、周波数特定情報について図２および図３に基づいて説明する。図２は、ＡＰＬと目標明滅周波数との対応関係を示す周波数特定情報の一例を示すものである。また、図３は、輝度７０％以上の面積の割合と目標明滅周波数との対応関係を示す周波数特定情報の一例を示すものである。
【００２６】
周波数特定情報では、図２および図３に示すように、映像の明るさと目標明滅周波数とは増加の関係にある。図３に示す例では、目標明滅周波数は明るさ（輝度７０％以上の面積の割合）に応じて連続的に変化する。一方、図２に示す例では、ＡＰＬを３つのレベルに分類し、各レベルに対して目標明滅周波数を設定する。すなわち、ＡＰＬの各レベルの明るさに適する明滅周波数を目標明滅周波数として設定する。ＡＰＬは映像に応じて細かく変動するため、このように段階的に目標明滅周波数を設定することにより、目標明滅周波数が細かく変動することを抑制することができる。それゆえ、無駄な処理を抑制することができる。
【００２７】
また、図２および図３に示すように、本実施形態では、目標明滅周波数の下限値を映写機のシャッターの周波数である４８Ｈｚに設定し、上限値を一般的なリフレッシュレートの６０Ｈｚに設定している。しかしながら、目標明滅周波数の下限値および上限値は、これに限るものではなく、適宜設定すればよい。
【００２８】
次に、図２に示す周波数特定情報を用いる場合の映像処理回路２の処理について説明する。このとき、映像処理回路２は、映画（クラシック）モード時に、取得した映像信号から１フレームにおけるＡＰＬを算出し、算出したＡＰＬに対応する目標明滅周波数を特定する。映像処理回路２は、特定した目標明滅周波数をバックライト制御回路３に通知する。また、映像処理回路２は、ＡＰＬを算出して目標明滅周波数を特定すると共に、ＡＰＬのレベルを特定してもよい。この場合、映像処理回路２は、バックライト制御回路３に目標明滅周波数を通知すると共に、ＡＰＬのレベルも通知する。
【００２９】
次に、図３に示す周波数特定情報を用いる場合の映像処理回路２の処理について説明する。このとき、映像処理回路２は、映画（クラシック）モード時に、取得した映像信号から１フレームにおける輝度ヒストグラムを作成する。映像処理回路２は、例えば、図４に示すような輝度ヒストグラムを作成する。そして、映像処理回路２は、作成した輝度ヒストグラムから輝度７０％以上の面積の割合を算出し、算出した輝度７０％以上の面積の割合に対応する目標明滅周波数を特定する。映像処理回路２は、特定した目標明滅周波数をバックライト制御回路３に通知する。
【００３０】
なお、映像処理回路２は、不図示のアンテナまたは通信部等を介して、表示装置１外部から映像信号を取得してもよいし、表示装置１が備える記憶部（不図示）等から映像信号を読み出して取得してもよい。
【００３１】
バックライト制御回路３は、バックライト６が光を照射する時期（タイミング）、バックライト６が光を照射する期間（光を照射しない期間）およびバックライト６が照射する光の強度等を制御するものである。
【００３２】
バックライト制御回路３は、映画（クラシック）モードが設定されると、バックライト６が照射する光の明滅周波数を制御して、フィルム映画を映写機で投影したときのシャッター感を再現する。バックライト制御回路３は、例えば、４８Ｈｚの明滅周波数でバックライト６が動作するように制御する。
【００３３】
また、バックライト制御回路３は、映画（クラシック）モード時に、映像処理回路２から目標明滅周波数を取得し、取得した目標明滅周波数に基づいて、バックライト６が照射する光の明滅周波数を制御する。具体的には、バックライト制御回路３は、フレーム毎に設定明滅周波数が目標明滅周波数と異なるか否かを判定し、設定明滅周波数が目標明滅周波数と異なる場合、設定明滅周波数が目標明滅周波数と一致するように、フレーム毎に設定明滅周波数を徐々に増減させる。換言すると、バックライト制御回路３は、設定明滅周波数が目標明滅周波数と異なる場合、設定明滅周波数が目標明滅周波数と一致するように、設定明滅周波数を所定期間毎に所定値増減させる。なお、設定明滅周波数と目標明滅周波数が一致している場合、設定明滅周波数を変更せず、そのまま維持する。
【００３４】
より詳細には、バックライト制御回路３は、設定明滅周波数が目標明滅周波数より大きい場合、設定明滅周波数が目標明滅周波数に一致するまたは近づくように、フレーム毎に設定明滅周波数を所定値下げる。一方、バックライト制御回路３は、設定明滅周波数が目標明滅周波数より小さい場合、設定明滅周波数が目標明滅周波数に一致するまたは近づくように、フレーム毎に設定明滅周波数を所定値上げる。
【００３５】
このように、映像の明るさに応じた適切な明滅周波数に徐々に近づけることにより、画像の急激な変化を抑制し、視聴者が表示装置の故障と誤解することを回避することができる。また、明滅周波数が変化することによる視聴者への負担を和らげることができる。
【００３６】
このとき、バックライト制御回路３は、設定明滅周波数を増加させる増加幅より、設定明滅周波数を減少させる減少幅を小さくする。設定明滅周波数を下げると、フリッカ感が強まるため、減少幅を小さくすることにより、急激にフリッカ感が強まることを抑制することができる。
【００３７】
また、バックライト制御回路３は、映画（クラシック）モード時に、映像処理回路２から目標明滅周波数およびＡＰＬのレベルを取得すると、ＡＰＬのレベルが変化したか否かを判定する。そして、ＡＰＬのレベルが上位のレベルに変化した場合、バックライト制御回路３は、設定明滅周波数が目標明滅周波数に一致するまたは近づくように、設定明滅周波数を所定値上げる。一方、ＡＰＬのレベルが下位のレベルに変化した場合、バックライト制御回路３は、設定明滅周波数が目標明滅周波数に一致するまたは近づくように、設定明滅周波数を所定値下げる。さらに、ＡＰＬのレベルが変化していない場合、設定明滅周波数が目標明滅周波数と異なるか否かを判定して、設定明滅周波数が目標明滅周波数と一致するように、設定明滅周波数を徐々に増減させる。
【００３８】
なお、バックライト制御回路３は、映画（クラシック）モード時に、映像処理回路２から目標明滅周波数を取得し、取得した目標明滅周波数を設定明滅周波数として、バックライト６が照射する光の明滅周波数を制御してもよい。
【００３９】
ここで、設定明滅周波数が４８Ｈｚの場合、バックライト制御回路３は、２４Ｈｚの映像に対し、１／９６秒の照射期間と、１／９６秒の非照射期間との繰り返しで４８Ｈｚの明滅を実現する。この照射／非照射期間を共に縮めることにより、バックライト６の明滅周波数は高くなる。明滅周波数が高くなると、視聴者が感じる映像のシャッター感は薄れる傾向にある。なお、本実施形態では、映画（クラシック）モード時のデフォルトの設定明滅周波数は４８Ｈｚであるとする。
【００４０】
上述のように、目標明滅周波数は、表示する映像の明るさに応じて特定されるものである。すなわち、バックライト制御回路３は、表示する映像の明るさに応じて、バックライト６が照射する光の明滅周波数を制御するものであると言える。
【００４１】
駆動回路４は、映像処理回路２から映像信号を受信し、受信した映像信号に基づいて、表示パネルの各画素を透過する光量を制御するものである。
【００４２】
表示パネル５は、ＲＧＢ等の画素を有し、バックライト６から照射された光が各画素を透過することにより、映像を表示するものである。表示パネル５は、例えば、液晶パネルである。
【００４３】
バックライト６は、表示パネル５に向けて光を照射する直下型ＬＥＤバックライトである。ただし、バックライト６は、これに限るものではなく、エッジライト方式であってもよいし、冷陰極管等の他の光源を用いてもよい。
【００４４】
図１に示すように、本実施形態では、表示パネル５およびバックライト６を含むものを表示部７と称する。換言すると、表示部７は、映像を表示するものである。なお、表示パネル５およびバックライト６に加えて、バックライト制御回路３もしくは駆動回路４、または、バックライト制御回路３および駆動回路４を備えるものを表示部７としてもよい。
【００４５】
〔表示装置の第１の処理〕
次に、図５に基づいて、表示装置が映画（クラシック）モード時に実行する第１の処理について説明する。図５は、表示装置が映画（クラシック）モード時に実行する第１の処理の一例を示すフローチャートである。
【００４６】
ここでは、映像処理回路２が図２に示す周波数特定情報を用いて、目標明滅周波数およびＡＰＬのレベルをバックライト制御回路３に通知するものとする。また、設定明滅周波数をフレーム毎に増減し、その設定明滅周波数の増加幅を２Ｈｚとし、減少幅を１Ｈｚとする。
【００４７】
図５に示すように、映像処理回路２は、表示するフレームの映像信号を取得する（Ｓ１）。映像処理回路２は、取得した映像信号からＡＰＬを算出する（Ｓ２）。映像処理回路２は、図２に示す周波数特定情報を参照して、算出したＡＰＬに対応する目標明滅周波数およびレベルを特定し（Ｓ３）、特定した目標明滅周波数およびレベルをバックライト制御回路３に通知する。
【００４８】
バックライト制御回路３は、映像処理回路２から目標明滅周波数およびレベルが通知されると、通知されたレベルが前回のレベルから変化したかどうかを判定する（Ｓ４）。レベルが変化しており（Ｓ４でＹＥＳ）、上位のレベルに変化した場合（Ｓ５でＹＥＳ）、バックライト制御回路３は、設定明滅周波数を２Ｈｚ上げる（Ｓ６）。また、レベルが変化しており（Ｓ４でＹＥＳ）、下位のレベルに変化した場合（Ｓ５でＮＯ）、バックライト制御回路３は、設定明滅周波数を１Ｈｚ下げる（Ｓ７）。
【００４９】
一方、レベルが変化していない場合（Ｓ４でＮＯ）、バックライト制御回路３は、現在の設定明滅周波数が通知された目標明滅周波数と一致しているか否かを判定する（Ｓ８）。現在の設定明滅周波数が目標明滅周波数と一致していない場合（Ｓ８でＮＯ）、続いて、バックライト制御回路３は、現在の設定明滅周波数が目標明滅周波数より大きいか小さいかを判定する（Ｓ９）。現在の設定明滅周波数が目標明滅周波数より小さい場合（Ｓ９でＮＯ）、バックライト制御回路３は、設定明滅周波数を２Ｈｚ上げる（Ｓ１０）。一方、現在の設定明滅周波数が目標明滅周波数より大きい場合（Ｓ９でＹＥＳ）、バックライト制御回路３は、設定明滅周波数を１Ｈｚ下げる（Ｓ１１）。
【００５０】
また、現在の設定明滅周波数が目標明滅周波数と一致している場合（Ｓ８でＹＥＳ）、バックライト制御回路３は、現在の設定明滅周波数をそのまま維持する。
【００５１】
バックライト制御回路３の処理（Ｓ６、Ｓ７、Ｓ１０もしくはＳ１１またはＳ８のＹＥＳ）の後、映像処理回路２は次のフレームの映像信号を受信するのを待ち、次に表示するフレームの映像信号を取得すると（Ｓ１２）、再度Ｓ２以降の処理を行う。
【００５２】
〔表示装置の第２の処理〕
次に、図６および図７に基づいて、表示装置が映画（クラシック）モード時に実行する第２の処理について説明する。図６は、表示装置が映画（クラシック）モード時に実行する第２の処理の一例を示すフローチャートである。図７は、第２の処理で使用する、ＡＰＬと目標明滅周波数との対応関係を示す周波数特定情報の一例を示すものである。
【００５３】
ここでは、映像処理回路２が図７に示す周波数特定情報を用いて、目標明滅周波数をバックライト制御回路３に通知するものとする。また、設定明滅周波数を増加する場合、１垂直走査期間（１フレーム）毎に０．５Ｈｚ増加し、設定明滅周波数を減少する場合、６垂直走査期間（６フレーム）毎に０．５Ｈｚ減少するものとする。すなわち、第２の処理では、バックライト制御回路３は、明滅周波数を増減する場合、その増減幅を一定の値とし、増加してから次に増加するまでの期間である増加間隔より、減少してから次に減少するまでの期間である減少間隔を長く設定する。
【００５４】
図６に示すように、映像処理回路２は、表示するフレームの映像信号を取得する（Ｓ２１）。映像処理回路２は、取得した映像信号からＡＰＬを算出する（Ｓ２２）。映像処理回路２は、図７に示す周波数特定情報を参照して、算出したＡＰＬに対応する目標明滅周波数を特定し（Ｓ２３）、特定した目標明滅周波数をバックライト制御回路３に通知する。
【００５５】
バックライト制御回路３は、現在の設定明滅周波数が通知された目標明滅周波数と一致しているか否かを判定する（Ｓ２４）。現在の設定明滅周波数が目標明滅周波数と一致していない場合（Ｓ２４でＮＯ）、続いて、バックライト制御回路３は、現在の設定明滅周波数が目標明滅周波数より大きいか小さいかを判定する（Ｓ２５）。現在の設定明滅周波数が目標明滅周波数より小さい場合（Ｓ２５でＮＯ）、バックライト制御回路３は、設定明滅周波数を０．５Ｈｚ上げる（Ｓ１０）。
【００５６】
一方、現在の設定明滅周波数が目標明滅周波数より大きい場合（Ｓ２５でＹＥＳ）、バックライト制御回路３は、前回設定明滅周波数を減少してから６フレーム経過したか否かを判定する（Ｓ２７）。前回設定明滅周波数を減少してから６フレーム経過している場合（Ｓ２７でＹＥＳ）、バックライト制御回路３は、設定明滅周波数を０．５Ｈｚ下げる（Ｓ２８）。前回設定明滅周波数を減少してから６フレーム経過していない場合（Ｓ２７でＮＯ）、バックライト制御回路３は、さらに、前回設定明滅周波数を減少した後に、設定明滅周波数を増加したか否かを判定する（Ｓ２９）。ここで、前回設定明滅周波数を減少した後に、設定明滅周波数を増加していた場合（Ｓ２９でＹＥＳ）、バックライト制御回路３は、設定明滅周波数を０．５Ｈｚ下げる（Ｓ２８）。一方、前回設定明滅周波数を減少した後に、設定明滅周波数を増加していない場合（Ｓ２９でＮＯ）、バックライト制御回路３は、現在の設定明滅周波数をそのまま維持する。
【００５７】
また、現在の設定明滅周波数が目標明滅周波数と一致している場合（Ｓ２４でＹＥＳ）、バックライト制御回路３は、現在の設定明滅周波数をそのまま維持する。
【００５８】
バックライト制御回路３の処理（Ｓ２６、Ｓ２８、Ｓ２９のＮＯまたはＳ２４のＹＥＳ）の後、映像処理回路２は次のフレームの映像信号を受信するのを待ち、次に表示するフレームの映像信号を取得すると（Ｓ３０）、再度Ｓ２以降の処理を行う。
【００５９】
なお、バックライト制御回路３は、Ｓ２９の判定処理を実行せず、前回設定明滅周波数を減少してから６フレーム経過していない場合は、常に、現在の設定明滅周波数をそのまま維持してもよい。
【００６０】
〔変形例１〕
バックライト６を複数の領域に分割し、バックライト制御回路３は、バックライト６が光を照射する時期（タイミング）、バックライト６が光を照射する期間（光を照射しない期間）およびバックライト６が照射する光の強度等を分割された領域毎に制御してもよい。すなわち、バックライト制御回路３は、いわゆるローカルデミング制御を行ってもよい。
【００６１】
この場合、バックライト制御回路３は、表示パネル５上の映像が表示されている領域に対応するバックライト６の領域のみ、設定明滅周波数で動作するように制御してもよい。すなわち、バックライト制御回路３は、画面上において映像が表示されている領域にのみ映写機で投影したときのシャッター感を再現する。
【００６２】
例えば、データ放送が表示されている場合、バックライト制御回路３は、テキストやアイコン等のデータ放送が表示されている領域に対応するバックライト６の領域に対しては通常の動作を行うように制御し、映像が表示されている領域に対応するバックライト６の領域に対してのみ映画（クラシック）モードで動作するように制御する。
【００６３】
〔変形例２〕
本実施形態では、映像処理回路２が１フレーム毎に目標明滅周波数を特定しているが、これに限るものではない。例えば、映像処理回路２が複数フレーム毎に目標明滅周波数を特定してもよい。この場合、映像処理回路２は、各フレームの平均の明るさに基づいて目標明滅周波数を特定すればよい。
【００６４】
また、本実施形態では、バックライト制御回路３はが１フレーム毎または６フレーム毎に設定明滅周波数を増減させているが、これに限るものではない。増加間隔および減少間隔はフレーム単位に限らず、任意の期間でよく、適宜設定すればよい。また、設定明滅周波数の増減幅も任意の値でよく、適宜設定すればよい。
【００６５】
＜実施形態２＞
映像中の文字領域の割合が多くなると、その文字領域の明滅が目立ち、過度にフリッカが発生する。実施形態２では、文字を表示することによるフリッカも抑制するために、バックライト制御回路３は、映像の明るさだけではなく、映像中の文字が表示されている領域（文字領域）の割合に応じて、バックライトの明滅周波数を制御する。以下に、この本発明の実施形態２について図８から図１０に基づいて説明する。
【００６６】
なお、説明の便宜上、前記の実施形態１において示した部材と同一の機能を有する部材には、同一の符号を付し、その説明を省略する。また、実施形態１において定義した用語については、特に断らない限り本実施の形態においてもその定義に則って用いるものとする。
【００６７】
実施形態２では、映像処理回路（第一周波数特定手段）２が参照する周波数特定情報を第一周波数特定情報と称し、映像処理回路２が特定する目標明滅周波数を第一目標明滅周波数と称する。
【００６８】
〔表示装置の構成〕
実施形態２に係る表示装置について図８に基づいて説明する。図８は、実施形態２に係る表示装置１０の要部構成の一例を示すブロック図である。図８に示すように、表示装置１０は、実施形態１に係る表示装置１の構成に加えて、字幕表示回路１１、設定回路１２および文字検出回路（第二周波数特定手段）１３を備えている。
【００６９】
字幕表示回路１１は、字幕信号を取得し、取得した字幕信号に基づいて、字幕またはテロップ等の文字を映像に重畳させて表示するように、駆動回路４に指示するものである。また、字幕表示回路１１は、所定のフレームにおいて、字幕またはテロップ等の文字が表示されていること示す文字表示通知を文字検出回路１３に通知する。
【００７０】
なお、字幕表示回路１１は、不図示のアンテナまたは通信部等を介して、表示装置１０外部から字幕信号を取得してもよいし、表示装置１０が備える記憶部（不図示）等から字幕信号を読み出して取得してもよい。また、字幕表示回路１１は、映像処理回路２の映像信号の取得先から字幕信号を取得してもよいし、異なる装置等から取得してもよい。
【００７１】
設定回路１２は、ユーザが入力した操作信号に基づいて、表示装置１０のメニュー設定画面またはＯＳＤ画面等を表示して、設定を変更するものである。例えば、設定回路１２は、表示装置１０の字幕表示機能のＯＮ／ＯＦＦを切り替える。設定回路１２は、メニュー設定画面またはＯＳＤ画面等を表示していることを示す設定画面表示通知を文字検出回路１３に通知する。また、設定回路１２は、字幕表示機能のＯＮ／ＯＦＦを切り替えた場合、その旨を示す機能切替通知を文字検出回路１３に通知する。
【００７２】
文字検出回路１３は、表示するフレームに、文字が表示される領域（文字領域）が含まれるか否かを判定して、文字領域を検出するものである。
【００７３】
文字検出回路１３は、表示するフレームに関して、字幕表示回路１１から文字表示通知を受信すると、当該フレームに文字領域が含まれると判定してもよい。また、文字検出回路１３は、設定回路１２から設定画面表示通知を受信すると、表示するフレームに文字領域が含まれると判定してもよい。また、文字検出回路１３は、設定回路１２から受信した機能切替通知に基づいて、表示装置１０の字幕表示機能がＯＮになっている場合、表示するフレームに文字領域が含まれると判定してもよい。
【００７４】
また、文字検出回路１３は、ＢＤレコーダ等の他の装置（映像信号を供給する装置）から、所定のフレームに、字幕、テロップ、メニュー設定画面、ＯＳＤ画面等の文字領域を含まれることを示す文字表示信号を受信した場合、当該フレームに文字領域が含まれると判定してもよい。
【００７５】
また、文字検出回路１３は、表示するフレームの映像信号を解析して、当該映像信号に基づく映像に文字領域が含まれるか否かを判定してもよい。例えば、文字検出回路１３は、映像信号に基づく映像からエッジを抽出し、エッジヒストグラムに基づいて文字領域が含まれるか否かを判定する。
【００７６】
また、文字検出回路１３は、文字領域を検出すると、フレームの全画像領域に対する文字領域の割合を特定し、文字領域の割合と第二目標明滅周波数との対応関係を示す第二周波数特定情報を参照して、特定した文字領域の割合に対応する第二目標明滅周波数を特定するものである。文字検出回路１３は、特定した第二目標明滅周波数をバックライト制御回路３に通知する。
【００７７】
ここで、第二周波数特定情報について図９に基づいて説明する。図９は、文字領域の割合と第二目標明滅周波数との対応関係を示す第二周波数特定情報の一例を示すものである。
【００７８】
第二周波数特定情報では、図９に示すように、文字領域の割合と第二目標明滅周波数とは増加の関係にある。図９に示す例では、第二目標明滅周波数は文字領域の割合に応じて連続的に変化する。ただし、文字領域の割合と第二目標明滅周波数との関係は、増加の関係であればよく、図９に示すものに限らず、適宜設定すればよい。
【００７９】
また、図９に示すように、本実施形態では、第二目標明滅周波数の下限値を映写機のシャッターの周波数である４８Ｈｚに設定し、上限値を一般的なリフレッシュレートの６０Ｈｚに設定している。しかしながら、第二目標明滅周波数の下限値および上限値は、これに限るものではなく、適宜設定すればよい。
【００８０】
バックライト制御回路３は、映像処理回路２から第一目標明滅周波数を取得し、文字検出回路１３から第二目標明滅周波数を取得し、取得した第一目標明滅周波数および第二目標明滅周波数に基づいて、目標明滅周波数を特定する。バックライト制御回路３は、例えば、第一目標明滅周波数および第二目標明滅周波数のうち、周波数が大きい値を目標明滅周波数としてもよい。
【００８１】
また、バックライト制御回路３は、第一目標明滅周波数および第二目標明滅周波数と、目標明滅周波数との対応関係を示す第三周波数特定情報を参照して、目標明滅周波数を特定してもよい。なお、バックライト制御回路３は、映像処理回路２から映像の明るさを取得し、文字検出回路１３から文字領域の割合を取得し、映像の明るさおよび文字領域の割合と、目標明滅周波数との対応関係を示す第四周波数特定情報を参照して、目標明滅周波数を特定してもよい。
【００８２】
バックライト制御回路３は、実施形態１と同様に、特定した目標明滅周波数に基づいて、バックライト６が照射する光の明滅周波数を制御する。
【００８３】
また、バックライト制御回路３は、第二目標明滅周波数を目標明滅周波数とし、第二目標明滅周波数にのみ基づいて、光の明滅周波数を制御してもよい。すなわち、表示装置１０は、映像の明るさに依存することなく、文字領域の割合にのみに応じて、バックライトの光の明滅周波数を制御してもよい。
【００８４】
〔表示装置の第３の処理〕
次に、図１０に基づいて、実施形態２に係る表示装置１０が映画（クラシック）モード時に実行する処理（第３の処理）について説明する。図１０は、表示装置１０が映画（クラシック）モード時に実行する第３の処理の一例を示すフローチャートである。
【００８５】
図１０に示すように、映像処理回路２は、表示するフレームの映像信号を取得する（Ｓ４１）。映像処理回路２は、取得した映像信号からＡＰＬを算出する（Ｓ４２）。映像処理回路２は、所定の第一周波数特定情報を参照して、算出したＡＰＬに対応する第一目標明滅周波数を特定し（Ｓ４３）、特定した第一目標明滅周波数をバックライト制御回路３に通知する。
【００８６】
次に、文字検出回路１３は、表示するフレームに、文字領域が含まれるか否かを判定する（Ｓ４４）。文字検出回路１３が文字領域を検出しない場合（Ｓ４４でＮＯ）、バックライト制御回路３は、映像処理回路２から通知された第一目標明滅周波数を目標明滅周波数とし、第一目標明滅周波数のみに基づいて、設定明滅周波数を調整する（Ｓ４５）。
【００８７】
一方、文字検出回路１３が文字領域を検出した場合（Ｓ４４でＹＥＳ）、文字検出回路１３は、フレームの全画像領域に対する文字領域の割合を特定する。そして、文字検出回路１３は、所定の第二周波数特定情報を参照して、特定した文字領域の割合に対応する第二目標明滅周波数を特定し（Ｓ４６）、特定した第二目標明滅周波数をバックライト制御回路３に通知する。
【００８８】
バックライト制御回路３は、映像処理回路２から通知された第一目標明滅周波数および文字検出回路１３から通知された第二目標明滅周波数に基づいて、設定明滅周波数を調整する（Ｓ４７）。
【００８９】
バックライト制御回路３の処理（Ｓ４５またはＳ４７）の後、映像処理回路２は次のフレームの映像信号を受信するのを待ち、次に表示するフレームの映像信号を取得すると（Ｓ４８）、再度Ｓ４２以降の処理を行う。
【００９０】
〔ソフトウェアによる実現例〕
最後に、表示装置１の各ブロック、特に映像処理回路２、バックライト制御回路３、字幕表示回路１１、設定回路１２および文字検出回路１３は、ハードウェアロジックによって構成してもよいし、次のようにＣＰＵを用いてソフトウェアによって実現してもよい。
【００９１】
すなわち、表示装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである表示装置１の制御プログラムのプログラムコード（実行形式プログラム、中間コードプログラム、ソースプログラム）をコンピュータで読み取り可能に記録した記録媒体を、上記表示装置１に供給し、そのコンピュータ（またはＣＰＵやＭＰＵ）が記録媒体に記録されているプログラムコードを読み出し実行することによっても、達成可能である。
【００９２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などを用いることができる。
【００９３】
また、表示装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９４】
〔まとめ〕
本発明の態様１に係る表示装置は、バックライトを備える表示部に映像を表示する表示装置において、上記バックライトが照射する光の明滅周波数を制御するバックライト制御手段を備え、上記バックライト制御手段は、上記映像の明るさに応じて、上記バックライトが照射する光の明滅周波数を制御する。
【００９５】
バックライト制御手段は、映画（クラシック）モード時には、上記バックライトが照射する光の明滅周波数を制御して、フィルム映画を映写機で投影したときのシャッター感を再現する。ここで、従来のように、映像の明るさに関わらず一律に、例えば４８Ｈｚの明滅周波数でバックライトを動作させた場合、シャッター感以上にフリッカ感を視聴者に与える可能性がある。
【００９６】
そこで、上記の構成によれば、バックライト制御手段は、表示する映像の明るさに応じて、上記バックライトが照射する光の明滅周波数を制御するため、フリッカ感を抑制することができる。また、上記バックライトが照射する光の明滅周波数を制御するという簡易な処理によって、シャッター感を再現することができる。
【００９７】
よって、視聴者に不快感を与えることなく、より簡易な処理でフィルム映画を映写機で投影したときのシャッター感を再現することができるという効果を奏する。
【００９８】
本発明の態様２に係る表示装置は、上記態様１において、上記映像の明るさに応じた目標明滅周波数を特定する周波数特定手段をさらに備え、上記バックライト制御手段は、上記周波数特定手段が特定した目標明滅周波数に基づいて、上記バックライトが照射する光の明滅周波数を制御してもよい。
【００９９】
上記の構成によれば、上記周波数特定手段が上記映像の明るさに対して適した目標明滅周波数を特定し、上記バックライト制御手段は、当該目標明滅周波数に基づいて、上記バックライトが照射する光の明滅周波数を制御する。そのため、上記映像の明るさに適した明滅周波数でシャッター感を再現することができる。
【０１００】
本発明の態様３に係る表示装置は、上記態様２において、上記バックライト制御手段は、上記バックライトが照射している光の明滅周波数が上記目標明滅周波数と異なる場合、上記目標明滅周波数と一致するように、上記バックライトが照射する光の明滅周波数を徐々に増減させてもよい。
【０１０１】
上記の構成によれば、上記バックライト制御手段は、上記バックライトが照射する光の明滅周波数を徐々に増減させるため、明滅周波数が急激に変化することを抑制しながら、上記映像の明るさに応じた明滅周波数でシャッター感を再現する。そのため、明滅周波数の変動による不快感や違和感を抑制することができる。
【０１０２】
本発明の態様４に係る表示装置は、上記態様３において、上記バックライト制御手段は、上記バックライトが照射する光の明滅周波数を増加させる増加幅より、当該明滅周波数を減少させる減少幅を小さくすることが好ましい。
【０１０３】
上記の構成によれば、上記バックライト制御手段は、明滅周波数の増加幅より、減少幅を小さくする。明滅周波数を減少させることにより、フリッカ感が強まる傾向にあるため、減少幅を小さくすることにより、明滅周波数の変動による不快感を抑制することができる。
【０１０４】
本発明の態様５に係る表示装置は、上記態様３において、上記バックライト制御手段は、上記バックライトが照射する光の明滅周波数を一旦増加させてから次に増加させるまでの期間である増加間隔よりも、上記バックライトが照射する光の明滅周波数を一旦減少させてから次に減少させるまでの期間である減少間隔を長く設定してもよい。
【０１０５】
上記の構成によれば、上記バックライト制御手段は、増加間隔より減少間隔を長く設定する。明滅周波数を減少させることにより、フリッカ感が強まる傾向にあるため、減少間隔を長くすることにより、明滅周波数の変動による不快感を抑制することができる。
【０１０６】
本発明の態様６に係る表示装置は、上記態様１〜５において、上記バックライトは複数の領域に分割されており、上記バックライト制御手段は、上記表示部の映像が表示されている領域に対応する上記バックライトの領域に対してのみ、上記バックライトが照射する光の明滅周波数を制御してもよい。
【０１０７】
上記の構成によれば、上記バックライト制御手段は、上記表示部の映像が表示されている領域に対応する上記バックライトの領域に対してのみ、上記バックライトが照射する光の明滅周波数を制御する。そのため、表示部に映像および映像以外のコンテンツ（例えば、テキスト情報等）が表示されている場合であっても、映像が表示されている領域にだけ、シャッター感を再現して表示することができる。
【０１０８】
本発明の態様７に係る表示装置は、上記態様１において、上記バックライト制御手段は、上記映像の明るさ、および、上記映像に含まれる文字領域の割合に応じて、上記バックライトが照射する光の明滅周波数を制御してもよい。
【０１０９】
バックライト制御手段は、映画（クラシック）モード時には、上記バックライトが照射する光の明滅周波数を制御して、フィルム映画を映写機で投影したときのシャッター感を再現する。ここで、映像の明るさだけではなく、映像中に文字が表示されている領域が多くなると、シャッター感以上にフリッカ感を視聴者に与える可能性がある。
【０１１０】
上記の構成によれば、上記バックライト制御手段は、上記映像の明るさおよび文字領域の割合に応じて光の明滅周波数を制御する。そのため、映像中に文字が表示されている領域が多くなったとしても、フリッカ感を抑制して、シャッター感を再現することができる。
【０１１１】
本発明の態様７に係る表示装置の制御方法は、バックライトを備える表示部に映像を表示する表示装置の制御方法において、上記バックライトが照射する光の明滅周波数を制御するバックライト制御ステップを含み、上記バックライト制御ステップでは、上記映像の明るさに応じて、上記バックライトが照射する光の明滅周波数を制御する。
【０１１２】
また、上記表示装置を備えているテレビジョン受像機も本発明の範疇に含まれる。
【０１１３】
なお、上記表示装置は、コンピュータによって実現してもよく、この場合には、コンピュータを上記表示装置の各手段として動作させることにより、上記表示装置をコンピュータにて実現させる制御プログラム、及びそれを記録したコンピュータ読み取り可能な記録媒体も本発明の範疇に入る。
【０１１４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１５】
本発明に係る表示装置は、テレビ等の表示装置一般に利用することができる。
【符号の説明】
【０１１６】
１、１０    表示装置
２    映像処理回路（周波数特定手段、第一周波数特定手段）
３    バックライト制御回路（バックライト制御手段）
４    駆動回路
５    表示パネル
６    バックライト
７    表示部
１１    字幕表示回路
１２    設定回路
１３    文字検出回路（第二周波数特定手段）
【要約】      （修正有）【課題】視聴者に不快感を与えることなく、より簡易な処理でフィルム映画を映写機で投影したときのシャッター感を再現する。【解決手段】バックライト６を備える表示部７に映像を表示する表示装置１において、上記バックライトが照射する光の明滅周波数を制御するバックライト制御手段を備え、上記バックライト制御手段のバックライト制御回路３は、表示部７に表示する映像の明るさに応じて、バックライト６が照射する光の明滅周波数を制御する。【選択図】図１【図１】
0005336019.tif 000002
【図２】
0005336019.tif 000003
【図３】
0005336019.tif 000004
【図４】
0005336019.tif 000005
【図５】
0005336019.tif 000006
【図６】
0005336019.tif 000007
【図７】
0005336019.tif 000008
【図８】
0005336019.tif 000009
【図９】
0005336019.tif 000010
【図１０】
0005336019.tif 000011